(57)【特許請求の範囲】
【請求項１】
支柱の上端部に、内部に電気機器の電線を収容するための収納部を形成した支基を取り付けて、この支基の上面により天板を支持するとともに、前記天板に、支基の内部と連通する開口部を設け、かつ、前記支基に、前記収納部内の配線を支基の外部へ取り出すための通孔を穿設し、さらに前記収納部の上下方向の中間部に、前記収納部を上下２つの収納部に分割するほぼ水平の仕切板を設け、前記通孔を下側の収納部側に設けるとともに、前記仕切板に、コンセントユニットや蓋材等を取付けるための取付孔を設けたことを特徴とするテーブルにおける配線装置。
【請求項２】
支基における通孔の近傍より、コイルスプリング状の配線保護カバーを吊支したことを特徴とする請求項１記載のテーブルにおける配線装置。
【請求項３】
支柱の上端部に、内部に電気機器の電線を収容するための収納部を形成した支基を取り付けて、この支基の上面により天板を支持するとともに、前記天板に、支基の内部と連通する開口部を設け、かつ、前記支基に、前記収納部内の配線を支基の外部へ取り出すための通孔を穿設し、前記支基における通孔の近傍より、コイルスプリング状の配線保護カバーを吊支したことを特徴とするテーブルにおける配線装置。
【請求項４】
天板の開口部を、電線を挿通しうる切欠部を有する蓋板をもって、開閉自在に塞いだことを特徴とする請求項１〜３のいずれかに記載のテーブルにおける配線装置。
【発明の詳細な説明】
【０００１】
【発明の属する技術分野】
本発明は、例えば会議等において用いられるテーブルに関し、特に、天板に載置された電気機器等の電源コードや配線ケーブル等を、体裁よく支基の内部に収納しうるようにした配線装置に関する。
【０００２】
【従来の技術】
パソコンやＯＨＰやスライドプロジェクター等を用いて会議を行うために、特殊な設備を備えるプレゼンテーションルームを設けることがあるが、このような部屋を形成するには、かなりの費用がかかる。
【０００３】
しかし、近年は、ＯＡ機器の普及にともない、このような会議の方法も急速に変化しつつある。
例えば、各テーブルにパソコン等の電気機器を載せるとともに各テーブルにコンセントや情報系コネクターを取り付け、これらのコンセント等を利用して、各パソコンを利用しながら会議を行うことがある。
【０００４】
【発明が解決しようとする課題】
しかし、上記のようにする場合、電気機器の電源コードや配線ケーブル等の電線が、テーブルの上やその周囲に散乱するため、邪魔になるとともに、見苦しく、また会議参加者の注意が集中するのを妨げるおそれがある。
【０００５】
本発明は、上述のような問題点を解決するためになされたもので、パソコン等の電気機器の電線を、簡単かつ体裁よくテーブルの内部に収納することにより、周辺を洗練されたものとして、使用者が会議等に集中しうるようにした、テーブルにおける配線装置を提供することを目的としている。
【０００６】
【課題を解決するための手段】
本発明によると、上記課題は、次のようにして解決される。
(１)  支柱の上端部に、内部に電気機器の電線を収容するための収納部を形成した支基を取り付けて、この支基の上面により天板を支持するとともに、前記天板に、支基の内部と連通する開口部を設け、かつ、前記支基に、前記収納部内の配線を支基の外部へ取り出すための通孔を穿設し、さらに前記収納部の上下方向の中間部に、前記収納部を上下２つの収納部に分割するほぼ水平の仕切板を設け、前記通孔を下側の収納部側に設けるとともに、前記仕切板に、コンセントユニットや蓋材等を取付けるための取付孔を設ける。
【０００７】
(２)  上記(１)項において、支基における通孔の近傍より、コイルスプリング状の配線保護カバーを吊支する。
【０００８】
(３)  支柱の上端部に、内部に電気機器の電線を収容するための収納部を形成した支基を取り付けて、この支基の上面により天板を支持するとともに、前記天板に、支基の内部と連通する開口部を設け、かつ、前記支基に、前記収納部内の配線を支基の外部へ取り出すための通孔を穿設し、前記支基における通孔の近傍より、コイルスプリング状の配線保護カバーを吊支する。
【０００９】
(４)  上記(１)〜(３)項のいずれかにおいて、天板の開口部を、電線を挿通しうる切欠部を有する蓋板をもって、開閉自在に塞ぐ。
【００１０】
【発明の実施の形態】
以下、本発明の一実施形態を備えるテーブル(１)について、添付図面を参照しながら説明する。
【００１１】
図１、図２に示すように、平面視ほぼ円形をなす台脚(２)の中心部には、内部に配設されたガススプリング等により、上下方向に伸縮自在な支柱(３)が立設され、支柱(３)の上端部には、逆円錐形をなす中空の支基(４)が取り付けられている。
(５)は、ガススプリングを作動させるためのレバーである。
【００１２】
図３に示すように、支基(４)の上部は円筒部(６)となっており、この円筒部(６)の周縁部上面は、上向きの環状突条(７)となっており、また同じく、外周には、天板を取り付けるための環状の外向フランジ(８)が形成されている。
外向フランジ(８)の下面の複数箇所には上向きの凹孔(９)が形成され、この凹孔(９)の上面には、小孔(10)が穿設されている。
支基(４)の下面は、閉塞されている。
【００１３】
円筒部(６)の下方において、支基(４)の内面には環状段部(11)が形成され、この環状段部(11)には、円形の仕切板(12)の周縁部が載置され、支基(４)の内部は、仕切板(12)により上部収納部(13)と下部収納部(14)とに仕切られている。
【００１４】
上部収納部(13)の側壁には、外部と連通する係止孔(15)が穿設され、下部収納部(14)の側壁には、電線(21)(33)等を通すためのやや大寸の通孔(16)が穿設されている。
【００１５】
仕切板(12)には、前後方向に長い角形の左右１対の取付孔(17)(17') が穿設されている。
左側の取付孔(17)には、上面に前後２個のコンセント孔(20)を備え、下面に電源コード(21)が接設されたコンセントユニット(22)が嵌合されている。
右側の取付孔(17')は、開閉自在の前半部及び後半部からなり、かつ前半部及び後半部の一部に切欠部(18)を設けた蓋部(19)により閉塞されている。
【００１６】
支柱(３)の側方には、上下方向を向くコイルスプリング状の配線保護カバーが設けられ、その上端部に形成された係止フック(24)を前記係止孔(15)に係合し、下端を台脚(２)に当接してある。
【００１７】
外向フランジ(８)には、中心部に前記円筒部(６)の外周に嵌合しうる円形の開口部(25)が形成された天板(26)が載置され、天板(26)の下面における前記小孔(10)と整合する箇所に埋設したナット(27)へ、小孔(10)へ下方から挿入した止めねじ(28)を螺合することにより、天板(26)は支基(４)に固定されている。
【００１８】
環状突条(７)の上面に、周縁部の３箇所に求心方向を向く切欠部(29)を有する円形の蓋板(30)を載置することにより、天板(26)の開口部(25)及び支基(４)の開口部(６)は開閉自在に閉塞されている。
【００１９】
天板(26)の上面には、会議に使用するためのパソコンやＯＨＰ等の電気機器(31)が載置され、電気機器(31)の側面から延出する電源コード(32)と配線ケーブル(33)は、蓋板(30)の切欠部(29)から、上部収納部(13)に挿通されている。
電源コード(32)は、上部収納部(13)に余長分を蛇行又は巻回して収納され、そのプラグ(34)は、コンセントユニット(22)のコンセント孔(20)に接続されている。
配線ケーブル(33)は、上部収納部(13)から蓋材(19)の切欠部(18)を通って下部収納部(14)に挿通されている。
電源コード(21)と配線ケーブル(33)は、通孔(16)を通って支基(４)の外部に引き出され、配線保護カバー(23)の上端部からその内部に挿入され、かつ配線保護カバー(23)の下端部から外部に引き出され、会議室内の電源やケーブル接続部（図示せず）に接続されている。
【００２０】
以上説明した本実施形態によれば、天板(26)上に載置した電気機器(31)の電線(32)(33)やコンセントユニット(22)を、簡単かつ体裁良く支基(４)の内部に収納できるので、電線(32)(33)が天板(26)や床面上に散乱することはなく、美観が向上するとともに、使用者が会議に集中しやすい環境を提供することができる。
【００２１】
【発明の効果】
本発明によれば、次のような効果を奏することができる。
(ａ) 請求項１記載の発明によれば、天板上に載置した電気機器の電線を、簡単かつ体裁良く支基の内部に収納できるので、電線が天板や床面上に散乱することはなく、美観が向上するとともに、使用者が会議に集中しやすい環境を提供できる。
また、収納部が上下に区切られているので、電線を互いに絡み合うことなく収容することができ、また、収納部にコンセントユニット等を取り付けることができ、電気機器を利用しやすくなる。
【００２２】
(ｂ) 請求項２記載の発明によれば、テーブルが昇降式の場合には、テーブルの昇降に合わせて配線保護カバーが伸縮するので、常に電線を保護することができる。
【００２３】
(ｃ) 請求項３記載の発明によれば、天板上に載置した電気機器の電線を、簡単かつ体裁良く支基の内部に収納できるので、電線が天板や床面上に散乱することはなく、美観が向上するとともに、使用者が会議に集中しやすい環境を提供できる。
また、テーブルが昇降式の場合には、テーブルの昇降に合わせて配線保護カバーが伸縮するので、常に電線を保護することができる。
【００２４】
(ｄ) 請求項４記載の発明によれば、開口部を蓋板で塞ぐことにより、天板を有効に使用でき、蓋板を取り外せば、電線を支基の内部に容易に収容することができる。
【図面の簡単な説明】
【図１】  本発明の一実施形態を備えるテーブルの正面図である。
【図２】  同じく、平面図である。
【図３】  図２のIII−III線に沿う拡大縦断正面図である。
【図４】  図３のIV−IV線に沿う横断平面図である。
【符号の説明】
(１)テーブル
(２)台脚
(３)支柱
(４)支基
(５)レバー
(６)円筒部
(７)環状突条
(８)外向フランジ
(９)凹孔
(10)小孔
(11)環状段部
(12)仕切板
(13)上部収納部
(14)下部収納部
(15)係止孔
(16)通孔
(17)(17')取付孔
(18)切欠部
(19)蓋板
(20)コンセント孔
(21)電源コード（電線）
(22)コンセントユニット
(23)配線保護カバー
(24)係止フック
(25)開口部
(26)天板
(27)ナット
(28)止めねじ
(29)切欠部
(30)蓋板
(31)電気機器
(32)電源コード（電線）
(33)配線ケーブル（電線）
(34)プラグ
【図１】
0004237857.tif 000002
【図２】
0004237857.tif 000003
【図３】
0004237857.tif 000004
【図４】
0004237857.tif 000005